(57)【特許請求の範囲】
【請求項１】
互いに一体化された左右一対のレジスタを、インストゥルメントパネルに設けてなると共に前後方向に貫通した一対の組付開口部に組み付けてなるレジスタ組付構造であって、
上記一対のレジスタは、該一対のレジスタを保持するホルダと共にレジスタアッシーを構成しており、
該レジスタアッシーは、上記インストゥルメントパネルに設けた複数の被係合部にそれぞれ係合して上記レジスタアッシーを上記インストゥルメントパネルに固定するための複数の爪部を有し、
上記一対の組付開口部における互いに左右対称位置にある一対の下辺角部には、上記レジスタを前後方向から上記組付開口部に挿入して組付ける際に、上記一対の上記レジスタの各下面角部を同時に当接させることにより上記レジスタアッシーの上下左右の位置決めを行うことができる位置決め用傾斜部が、それぞれ形成されていることを特徴とするレジスタ組付構造。
【請求項２】
請求項１において、上記位置決め用傾斜部は、左側の上記組付開口部における右側の下辺角部と、右側の上記組付開口部における左側の下辺角部とにそれぞれ形成されていることを特徴とするレジスタ組付構造。
【請求項３】
請求項１において、上記位置決め用傾斜部は、左側の上記組付開口部における左側の下辺角部と、右側の上記組付開口部における右側の下辺角部とにそれぞれ形成されていることを特徴とするレジスタ組付構造。
【発明の詳細な説明】
【技術分野】
【０００１】
本発明は、空調のダクトの吹出口に配設されるレジスタを自動車等のインストゥルメントパネルに組み付けてなるレジスタ組付構造に関する。
【背景技術】
【０００２】
自動車等のインストゥルメントパネルには、空調のダクトの吹出口に配設されるレジスタ等の部品が複数組み付けてある（例えば、特許文献１参照）。
そして、図９に示すごとく、レジスタ組付構造９は、インストゥルメントパネル９３の略中央付近に左右一対のレジスタ９２０が組み付けられてなる。この左右一対のレジスタ９２０を、インストゥルメントパネル９３に組付けるに当っては、図１０に示すごとく、一対のレジスタ９２０とこれらを保持するホルダ９２１とからなるレジスタアッシー９２を、インストゥルメントパネル９３に設けた一対の組付開口部９３０に組付けることにより行う。このとき、レジスタアッシー９２に設けた複数の爪部９２２を、インストゥルメントパネル９３に設けた複数の被係合部９３２に対して係合させることにより、レジスタアッシー９２をインストゥルメントパネル９３に固定する。
【０００３】
しかしながら、この組付け作業に当っては、レジスタアッシー９２の複数の爪部９２２をインストゥルメントパネル９３の複数の被係合部９３２にそれぞれ係合させる必要があるため、その位置合せを行う必要がある。ここで、レジスタ９２０を組付開口部９３０に挿入する際に、図１１に示すごとく、レジスタ９２０の下面９２５を組付開口部９３０の下辺９３５に搭載し摺動させながら押し込むことにより、爪部９２２と被係合部９３２との高さ方向の位置合せについては行うことが可能である。
【０００４】
ところが、図１０、図１１に示すごとく、左右方向についてはその位置合せが困難であり、どうしても爪部９２２が被係合部９３２に対して左右にずれやすく、また、レジスタ９２０の接続側開口部９２４がダクト９３３の吹出口９３４に対して左右にずれやすい。そのため、全ての爪部９２２をそれぞれ対応する被係合部９３２に係合させてレジスタ９２０の接続側開口部９２４をダクト９３３の吹出口９３４に嵌入させる作業が困難となる。その結果、インストゥルメントパネル９３へのレジスタ９２０の組付け作業性が低下し、作業効率の向上を図ることが困難となるおそれがある。
【０００５】
さらに、インストゥルメントパネル９３の組付開口部９３０に対するレジスタアッシー９２の位置合せが上手くいかず、左右に位置ずれした状態でレジスタアッシー９２をインストゥルメントパネル９３の組付開口部９３０に挿入しようとすると、爪部９２２がインストゥルメントパネル９３の意匠面９３１に衝突してしまい、場合によってはインストゥルメントパネル９３の意匠面９３１に傷を付けてしまうおそれがある。
【０００６】
【特許文献１】特開２００７−５５４９６号公報
【発明の開示】
【発明が解決しようとする課題】
【０００７】
本発明は、かかる従来の問題点に鑑みてなされたもので、レジスタの組付け作業性に優れたレジスタ組付構造を提供しようとするものである。
【課題を解決するための手段】
【０００８】
本発明は、互いに一体化された左右一対のレジスタを、インストゥルメントパネルに設けてなると共に前後方向に貫通した一対の組付開口部に組み付けてなるレジスタ組付構造であって、
上記一対のレジスタは、該一対のレジスタを保持するホルダと共にレジスタアッシーを構成しており、
該レジスタアッシーは、上記インストゥルメントパネルに設けた複数の被係合部にそれぞれ係合して上記レジスタアッシーを上記インストゥルメントパネルに固定するための複数の爪部を有し、
上記一対の組付開口部における互いに左右対称位置にある一対の下辺角部には、上記レジスタを前後方向から上記組付開口部に挿入して組付ける際に、上記一対の上記レジスタの各下面角部を同時に当接させることにより上記レジスタアッシーの上下左右の位置決めを行うことができる位置決め用傾斜部が、それぞれ形成されていることを特徴とするレジスタ組付構造にある（請求項１）。
【０００９】
次に、本発明の作用効果につき説明する。
上記一対の組付開口部における互いに左右対称位置にある一対の下辺角部には、上記位置決め用傾斜部がそれぞれ形成されている。そのため、上記レジスタアッシーを上記インストゥルメントパネルに組付けるに当り、一対のレジスタをインストゥルメントパネルの組付開口部に挿入して押し込んでいくとき、一対のレジスタの下面角部を一対の組付開口部における位置決め用傾斜部にそれぞれ当接した状態で載置することができる。
【００１０】
この状態においては、インストゥルメントパネルの組付開口部に対するレジスタアッシーの上下位置が決まると同時に、自動的に、インストゥルメントパネルの組付開口部に対するレジスタアッシーの左右位置が決まることとなる。これは、一対のレジスタの下面角部を一対の組付開口部における位置決め用傾斜部に同時にそれぞれ当接すれば、自動的に、レジスタアッシーの左右位置は規制されるからである。
【００１１】
それ故、あとは、一対のレジスタの下面角部を一対の位置決め傾斜部に当接させながら、レジスタアッシーをインストゥルメントパネルの組付開口部に押し込んでいくことにより、複数の爪部が複数の被係合部にそれぞれ正確に係合されることとなる。そして、レジスタにおけるダクト側の開口部である接続側開口部を、ダクトの吹出口に正確に嵌入させることができる。
【００１２】
これにより、容易に、レジスタをインストゥルメントパネルに固定することができる。即ち、インストゥルメントパネルへのレジスタの組付け作業性を向上させることができる。また、これにより、組付け時において、爪部がインストゥルメントパネルの意匠面に衝突して意匠面を傷付けることをも防ぐことができる。
【００１３】
以上のごとく、本発明によれば、レジスタの組付け作業性に優れたレジスタ組付構造を提供することができる。
【発明を実施するための最良の形態】
【００１４】
本発明（請求項１）において、上記一対の組付開口部における互いに左右対称位置にある一対の下辺角部とは、例えば、左側の組付け開口部における右側の下辺角部と右側の組付開口部における左側の下辺角部、あるいは左側の組付け開口部における左側の下辺角部と右側の組付開口部における右側の下辺角部を意味する。
【００１５】
なお、上記位置決め用傾斜部は、直線状のテーパ形状を有するよう構成することもできるし、曲線形状を有するよう構成することもできる。
また、本明細書においては、自動車等の運転手から見たときに、インストゥルメントパネルについて上、下、左、右となる向きを、それぞれ、上、下、左、右として説明する。
【００１６】
また、上記位置決め用傾斜部は、左側の上記組付開口部における右側の下辺角部と、右側の上記組付開口部における左側の下辺角部とにそれぞれ形成することができる（請求項２）。
この場合には、上記一対の組付開口部における互いに左右対称位置にある一対の下辺角部にそれぞれ位置決め用傾斜部を形成することとなり、レジスタの組付け作業性に優れたレジスタ組付構造を得ることができる。
【００１７】
また、上記位置決め用傾斜部は、左側の上記組付開口部における左側の下辺角部と、右側の上記組付開口部における右側の下辺角部とにそれぞれ形成することもできる（請求項３）。
この場合にも、上記一対の組付開口部における互いに左右対称位置にある一対の下辺角部にそれぞれ位置決め用傾斜部を形成することとなり、レジスタの組付け作業性に優れたレジスタ組付構造を得ることができる。
【実施例】
【００１８】
本発明の実施例に係るレジスタ組付構造につき、図１〜図８を用いて説明する。
本例のレジスタ組付構造１は、図１に示すごとく、空調のダクト３３の吹出口３３０に配設されるレジスタ２０を自動車等のインストゥルメントパネル３に組み付けてなるものである。具体的には、レジスタ組付構造１は、図１、図５に示すごとく、互いに一体化された左右一対のレジスタ２０を、インストゥルメントパネル３に設けた一対の組付開口部３０に組み付けてなる。
【００１９】
一対のレジスタ２０は、図２、図５に示すごとく、一対のレジスタ２０を保持するホルダ２１と共にレジスタアッシー２を構成している。
レジスタアッシー２は、図２、図６〜図８に示すごとく、インストゥルメントパネル３に設けた複数の被係合部３１０にそれぞれ係合してレジスタアッシー２をインストゥルメントパネル３に固定するための複数の爪部２１０を有する。
【００２０】
一対の組付開口部３０における互いに左右対称位置にある一対の下辺角部３０１には、図１、図８（ｂ）に示すごとく、レジスタ２０を組付開口部３０に挿入して組付ける際に、一対のレジスタ２０の各下面角部３０１を同時に当接させることによりレジスタアッシー２の左右の位置決めを行うことができる位置決め用傾斜部３００が、それぞれ形成されている。
【００２１】
位置決め用傾斜部３００は、図３〜図５、図８に示すごとく、左側の組付開口部３０における右側の下辺角部３０１と、右側の組付開口部３０における左側の下辺角部３０１とにそれぞれ形成されている。
また、本例における位置決め用傾斜部３００は、直線状のテーパ形状を有する。
【００２２】
レジスタアッシー２を構成するホルダ２１は、図５に示すごとく、左右にレジスタ２０を固定するための一対のレジスタ固定部２１１と、一対のレジスタ固定部２１１を連結する連結部２１２とを有する樹脂成形体からなる枠体である。そして、ホルダ２１は、図２、図５〜図７に示すごとく、各レジスタ固定部２１１において、各レジスタ２０をその吹出開口部２０５の周囲を係合することにより固定している。
【００２３】
また、上記レジスタ固定部２１１の左右には、風上方向に伸びる爪部２１０が、それぞれ上下に一対形成されている。即ち、ホルダ２１は、左右の各レジスタ固定部２１１の左右位置にそれぞれ２個ずつ、合計８個の爪部２１０を有する。また、各爪部２１０は、その幅方向が上下、厚み方向が左右となるように形成された板状体からなる。
【００２４】
図２に示すごとく、レジスタ２０は、前後方向に貫通する筒型形状を有する。そして、レジスタ２０の吹出開口部２０５には、風向きを上下方向に変更する上下可動整流板２０６（図２、図５参照）と、風向きを左右に変更する左右可動整流板２０７（図６、図７参照）が設けてある。
また、吹出開口部２０５から風上側へ伸びる筒状部２０１は、図１に示すごとく、風の流通方向に直交する方向の断面に表れる形状が、その角部に曲線状の面取り部を設けた略長方形状を有する。そして、この長方形の下辺の左右両側における角部が、上記下面角部２００の断面となる。
【００２５】
また、図２、図５〜図７に示すごとく、筒状部２０１における吹出開口部２０５と反対側の端部には、インストゥルメントパネル３に予め取付けられているダクト３３の吹出口３３０に接続される接続側開口部２０４が設けてある。該接続側開口部２０４の外周には、上記ダクト３３の吹出口３３０との間において、気密性を確保するための弾性部材等からなるシール部材２０２が取り付けられている。
【００２６】
そして、一対のレジスタ２０とホルダ２１とは、それぞれ別個に製造された後、互いに組み付けられ、レジスタアッシー２が得られる。レジスタ２０は、このレジスタアッシー２の状態で、インストゥルメントパネル３に組み付けられる。
インストゥルメントパネル３には、図１、図３、図４、図６〜図８に示すごとく、上記組付開口部３０の左右位置に、上記レジスタアッシー２の爪部２１０を係合するための被係合部３１０を設けてある。被係合部３１０は、組付開口部３０の左右におけるインストゥルメントパネル３に設けた上下方向に長い貫通孔によって構成されており、爪部２１０の位置及び形状に対応して形成されている。
【００２７】
また、組付開口部３０は、図１、図３、図４に示すごとく、略長方形状を有している。そして、その下辺における一方の下辺角部３０１に、テーパ状の位置決め用傾斜部３００が形成されている。即ち、上述したごとく、左側の組付開口部３０の右側の下辺角部３０１と右側の組付開口部３０の左側の下辺角部３０１とに、それぞれ位置決め用傾斜部３００が形成されている。
【００２８】
レジスタアッシー２をインストゥルメントパネル３に取付けるに当っては、まず、左右のレジスタ２０を、その接続側開口部２０４の側から同時に、インストゥルメントパネル３の左右一対の組付開口部３０にそれぞれ挿入する。このとき、最初は、図８（ａ）に示すごとく、一対のレジスタ２０を宙に浮かせながら、レジスタ２０の筒状部２０１の一部を、組付開口部３０に挿入する。このときは、レジスタアッシー２の爪部２１０は、インストゥルメントパネル３の被係合部３１０に対して、その上下位置のみならず、通常は左右位置についてもずれている。
【００２９】
そして、一対のレジスタ２０の筒状部２０１の一部を組付開口部３０に挿入した段階で、図８（ｂ）に示すごとく、レジスタ２０の筒状部２０１を、重力に従って、組付開口部３０の中で下方へ下ろす。そうすると、一対のレジスタ２０の下面角部２００が、それぞれ一対の組付開口部３０における位置決め用傾斜部３００に当接する。これにより、レジスタアッシー２の上下位置、即ち、レジスタ２０の上下位置が決まる。そして、一対のレジスタ２０の下面角部２００が一対の位置決め傾斜部３００に当接することにより、レジスタアッシー２の左右位置も同時に決まることとなる。
【００３０】
その結果、レジスタアッシー２の爪部２１０の上下位置及び左右位置も、所定の位置に決まることとなる。それ故、図６、図８（ｂ）に示すごとく、インストゥルメントパネル３の複数の被係合部３１０に対応する上下左右位置に、複数の爪部２１０の上下左右位置が決まる。
【００３１】
その後、レジスタ２０を位置決め用傾斜部３００に対して摺動させながら、図５、図６における矢印Ａに示すごとくレジスタ２０がダクト３３の吹出口３３０に向かうように、レジスタアッシー２を押し込んでいく。これにより、レジスタアッシー２の爪部２１０をインストゥルメントパネル３の被係合部３１０にそれぞれ差し込み、係合させる。これと同時に、図６〜図８に示すごとく、一対のレジスタ２０の接続側開口部２０４を、ダクト３３の吹出口３３０に嵌入する。このとき、図７に示すごとく、レジスタ２０の接続側開口部２０４の外周に設けたシール部材２０２を、ダクト３３の吹出口３３０の内壁に密着させる。
以上により、インストゥルメントパネル３にレジスタアッシー２を組付けたレジスタ組付構造１が構成される。
【００３２】
次に、本例の作用効果につき説明する。
一対の組付開口部３０における互いに左右対称位置にある下辺角部３０１には、図１、図３〜図５、図８に示すごとく、位置決め用傾斜部３００がそれぞれ形成されている。そのため、上述したごとく、レジスタアッシー２をインストゥルメントパネル３に組付けるに当り、一対のレジスタ２０をインストゥルメントパネル３の組付開口部３０に挿入して図５、図６の矢印Ａの向きに押し込んでいくとき、図１、図８（ｂ）に示すごとく、一対のレジスタ２０の下面角部２００を一対の組付開口部３０における位置決め用傾斜部３００に同時にそれぞれ当接した状態で載置することができる。
【００３３】
この状態においては、インストゥルメントパネル３の組付開口部３０に対するレジスタアッシー２の上下位置が決まると同時に、図８（ｂ）に示すごとく、自動的に、インストゥルメントパネル３の組付開口部３０に対するレジスタアッシー２の左右位置が決まることとなる。これは、一対のレジスタ２０の下面角部２００を一対の組付開口部３０における位置決め用傾斜部３００にそれぞれ当接すれば、自動的に、レジスタアッシー２の左右位置は規制されるからである。
【００３４】
それ故、あとは、一対のレジスタ２０の下面角部３０を一対の位置決め傾斜部３００に当接させながら、図５、図６の矢印Ａの向きにレジスタアッシー２をインストゥルメントパネル３の組付開口部３０に押し込んでいけばよいこととなる。これにより、複数の爪部２１０が複数の被係合部３１０にそれぞれ正確に係合されることとなる。そして、レジスタ２０におけるダクト３３側の開口部である接続側開口部２０４を、ダクト３３の吹出口３３０に正確に嵌入させることができる。
【００３５】
以上のごとく、本例によれば、容易に、レジスタ２０をインストゥルメントパネル３に固定することができる。したがって、インストゥルメントパネル３へのレジスタ２０の組付け作業性を向上させることができる。また、これにより、組付け時において、爪部２１０がインストゥルメントパネル３の意匠面３２に衝突して意匠面３２を傷付けることをも防ぐことができる。
【００３６】
また、位置決め用傾斜部３００は、左側の組付開口部３０における右側の下辺角部３０１と、右側の組付開口部３０における左側の下辺角部３０１とにそれぞれ形成されている。これにより、一対の組付開口部３０における互いに左右対称位置にある一対の下辺角部３０１にそれぞれ位置決め用傾斜部３００を形成することとなり、レジスタ２０の組付け作業性に優れたレジスタ組付構造１を得ることができる。
【００３７】
以上のごとく、本例によれば、レジスタの組付け作業性に優れたレジスタ組付構造を提供することができる。
【００３８】
なお、上記実施例においては、上記位置決め用傾斜部３００を、左側の組付開口部３０における右側の下辺角部３０１と、右側の組付開口部３０における左側の下辺角部３０１とにそれぞれ形成した例を示したが、反対に、位置決め用傾斜部を、左側の組付開口部における左側の下辺角部と、右側の組付開口部における右側の下辺角部とにそれぞれ形成してもよい。この場合にも、同様の作用効果を得ることができる。
また、上記位置決め傾斜部３００の形状は、直線状のテーパ形状に限らず、曲線状であってもよい。
【図面の簡単な説明】
【００３９】
【図１】実施例における、レジスタ組付け途中のレジスタ組付構造の正面説明図。
【図２】実施例における、レジスタアッシーの一部の斜視図。
【図３】実施例における、インストゥルメントパネルの正面図。
【図４】実施例における、組付開口部の正面図。
【図５】実施例における、レジスタ組付構造の展開斜視図。
【図６】実施例における、レジスタ組付け直前のレジスタ組付構造の水平断面説明図。
【図７】実施例における、レジスタ組付け後のレジスタ組付構造の水平断面説明図。
【図８】実施例における、（ａ）レジスタの下面角部を組付開口部の位置決め用傾斜部に当接させる前の各部の位置関係を示す正面模式図、（ｂ）レジスタの下面角部を組付開口部の位置決め用傾斜部に当接させた後の各部の位置関係を示す正面模式図。
【図９】従来例における、レジスタ組付構造の展開斜視図。
【図１０】従来例における、インストゥルメントパネルに対してレジスタアッシーの左右位置がずれた状態の水平断面説明図。
【図１１】従来例における、レジスタ組付け時のレジスタアッシーの各部と組付開口部との位置関係を示す正面模式図。
【符号の説明】
【００４０】
１  レジスタ組付構造
２  レジスタアッシー
２０  レジスタ
２００  下面角部
２１  ホルダ
２１０  爪部
３  インストゥルメントパネル
３０  組付開口部
３００  位置決め用傾斜部
３０１  下辺角部
３１０  被係合部
【図１】
0004998121.tif 000002
【図２】
0004998121.tif 000003
【図３】
0004998121.tif 000004
【図４】
0004998121.tif 000005
【図５】
0004998121.tif 000006
【図６】
0004998121.tif 000007
【図７】
0004998121.tif 000008
【図８】
0004998121.tif 000009
【図９】
0004998121.tif 000010
【図１０】
0004998121.tif 000011
【図１１】
0004998121.tif 000012